(57)【要約】【課題】  被貼付対象となる商品に対応した商品関連情報が、表示情報として生成され、ラベル用紙に印刷されることにより作成されるラベルについて、表示情報がどのような生成履歴を経て生成されたものであるかを容易に識別できるようにしたラベルおよびそのようなラベルを印刷するラベルプリンタを提供する。【解決手段】  ラベルプリンタにおける表示情報（１，２）の生成履歴を表示する履歴情報（３）が、表示情報（１，２）とともにラベル用紙（Ｌ）に印刷されていることを特徴とする。【選択図】図１
2005077727.tif 000002
【特許請求の範囲】
【請求項１】
被貼付対象となる商品に対応した商品関連情報が、ラベルプリンタにより、表示情報として生成され、ラベル用紙に印刷されることにより作成されるラベルであって、
前記ラベルプリンタにおける前記表示情報の生成履歴を表示する履歴情報が、前記表示情報とともに印刷されていることを特徴とするラベル。
【請求項２】
前記表示情報は、文字情報とバーコード情報の組み合わせにより構成されるものであって、
前記履歴情報は、前記バーコード情報の生成に使用されたバーコード体系を識別する識別情報であることを特徴とする請求項１に記載のラベル。
【請求項３】
被貼付対象となる商品に対応した商品関連情報が、ラベルプリンタにより、文字情報とバーコード情報を組み合わせた表示情報として印刷されるラベルであって、
前記バーコード情報の生成に使用されたバーコード体系が、前記商品の出荷先に対して予め設定されているバーコード体系と一致しているか否かをチェックさせるために、前記バーコード情報の生成に使用されたバーコード体系を識別する識別情報が、前記表示情報とともに印刷されていることを特徴とするラベル。
【請求項４】
被貼付対象となる商品に対応した商品関連情報を、表示情報として生成し、前記表示情報をラベル用紙に印刷することによりラベルを作成するラベルプリンタであって、
前記表示情報の生成履歴を表示する履歴情報を、前記表示情報とともに、前記ラベル用紙に印刷することを特徴とするラベルプリンタ。
【請求項５】
前記表示情報は、文字情報とバーコード情報の組み合わせにより構成されるものであって、
前記履歴情報は、前記バーコード情報の生成に使用したバーコード体系を識別する識別情報であることを特徴とする請求項４に記載のラベルプリンタ。
【請求項６】
被貼付対象となる商品に対応した商品関連情報を、文字情報とバーコード情報を組み合わせた表示情報として、ラベル用紙に印刷することによりラベルを作成するラベルプリンタであって、
前記バーコード情報の生成に使用したバーコード体系が、前記商品の出荷先に対して予め設定されているバーコード体系と一致しているか否かをチェックするために、前記バーコード情報の生成に使用されたバーコード体系を識別する識別情報を、前記表示情報とともに、前記ラベル用紙に印刷することを特徴とするラベルプリンタ。
【請求項７】
商品関連情報、および該商品関連情報から文字情報とバーコード情報を組み合わせた表示情報を生成するために使用されるバーコード体系を入力する入力部と、
前記入力部により入力された前記商品関連情報および前記バーコード体系に基づいて、文字情報とバーコード情報を組み合わせた表示情報を生成する制御部と、
前記表示情報と、前記バーコード体系を識別するための識別情報とを合わせて、ラベル用紙に印刷する印刷部とを、備えることを特徴とするラベルプリンタ。
【発明の詳細な説明】
【技術分野】
【０００１】
本発明は、被貼付対象となる商品に対応した商品関連情報が、表示情報として生成され、ラベル用紙に印刷されることにより作成されるラベルおよびそのようなラベルを印刷するラベルプリンタに関する。
【背景技術】
【０００２】
従来から、生鮮食品や弁当等の商品については、その商品名、内容量、価格、製造日、消費期限、販売業者名等の商品関連情報を、文字情報とバーコード情報を組み合わせた表示情報として印刷したラベルを作成し、作成したラベルを商品やその包装の表面に貼付した状態で出荷している。このようなラベルに印刷された表示情報のうち、文字情報は、主に消費者が商品関連情報を読み取り可能となるように文字で表示したものであり、バーコード情報は、出荷先となる販売業者の店舗におけるＰＯＳシステムにより、商品の在庫管理や販売管理等が迅速かつ正確に行われるように、例えばＪＡＮコード（１３桁又は８桁）等のバーコード規格にしたがって表示したものである。
【０００３】
ところで、各バーコード規格において、各桁が表示する内容は標準化されており、例えば、ＪＡＮコード（１３桁）の場合、最初の２桁が国コード、次の５桁が製造業者の登録番号、さらに次の５桁が製造業者における商品番号、最後の１桁がチェックコードとして使用されている。これにより、出荷先の店舗において製造業者、商品ごとに在庫管理や販売管理を行うことができるものである。しかしながら、上記のように標準化されたバーコード体系では、生鮮食品や弁当のように消費期限が短期間である商品についての品質管理を行うのに不向きである。そこで、コンビニエンスストア等のチェーン（販売業者）では、各社で、自社の商品管理手法に適合するように、バーコードの各桁に表示される項目を設定し直した独自のバーコード体系を発案し、製造業者に対して、自社向け商品に貼付されるラベルに、独自のバーコード体系で生成されたバーコード情報を印刷するように指示している。これにより、各出荷先の店舗では、生鮮食品や弁当等についても、ＰＯＳシステムを利用して、きめ細かい品質管理を行うことができるようになっている（例えば、特許文献１参照）。
【特許文献１】特開平１１−３３８９３０号公報
【発明の開示】
【発明が解決しようとする課題】
【０００４】
しかしながら、製造業者が、独自のバーコード体系を設定している複数の販売業者に対して、商品を出荷している場合には、ある販売業者で設定されているバーコード体系に基づいて印刷されたラベルが貼付された商品を、他の販売業者に誤って出荷してしまうおそれがある。すなわち、各出荷先の独自のバーコード体系とはいえ、もともと同一のバーコード規格に対して、各桁に表示される項目を設定し直しただけで、外見上はお互いに見分けることができないために、例えば、作業者によるラベルプリンタの設定ミスや、作業者への指示書の記載ミス等により、異なるバーコード体系でラベルが印刷されていても、そのミスを発見できないことがあり得るものである。
【０００５】
なお、バーコード体系の他にも、各販売業者向けに使用されるラベルのフォーマットが僅かに異なるような場合には、やはりラベルプリンタの設定ミス等により、他の販売業者のフォーマットでラベルを印刷したことに気付かずに、商品を出荷してしまうおそれがあり得る。
【０００６】
本発明は、斯かる実情に鑑み、被貼付対象となる商品に対応した商品関連情報が、表示情報として生成され、ラベル用紙に印刷されることにより作成されるラベルについて、表示情報がどのような生成履歴を経て生成されたものであるかを容易に識別できるようにしたラベルおよびそのようなラベルを印刷するラベルプリンタを提供しようとするものである。
【課題を解決するための手段】
【０００７】
請求項１の発明は、被貼付対象となる商品に対応した商品関連情報が、ラベルプリンタにより、表示情報として生成され、ラベル用紙に印刷されることにより作成されるラベルであって、前記ラベルプリンタにおける前記表示情報の生成履歴を表示する履歴情報が、前記表示情報とともに印刷されていることを特徴とするラベルを提供する。
【０００８】
請求項２の発明は、前記表示情報は、文字情報とバーコード情報の組み合わせにより構成されるものであって、前記履歴情報は、前記バーコード情報の生成に使用されたバーコード体系を識別する識別情報であることを特徴とする請求項１に記載のラベルを提供する。
【０００９】
請求項３の発明は、被貼付対象となる商品に対応した商品関連情報が、ラベルプリンタにより、文字情報とバーコード情報を組み合わせた表示情報として印刷されるラベルであって、前記バーコード情報の生成に使用されたバーコード体系が、前記商品の出荷先に対して予め設定されているバーコード体系と一致しているか否かをチェックさせるために、前記バーコード情報の生成に使用されたバーコード体系を識別する識別情報が、前記表示情報とともに印刷されていることを特徴とするラベルを提供する。
【００１０】
請求項４の発明は、被貼付対象となる商品に対応した商品関連情報を、表示情報として生成し、前記表示情報をラベル用紙に印刷することによりラベルを作成するラベルプリンタであって、前記表示情報の生成履歴を表示する履歴情報を、前記表示情報とともに、前記ラベル用紙に印刷することを特徴とするラベルプリンタを提供する。
【００１１】
請求項５の発明は、前記表示情報は、文字情報とバーコード情報の組み合わせにより構成されるものであって、前記履歴情報は、前記バーコード情報の生成に使用したバーコード体系を識別する識別情報であることを特徴とする請求項４に記載のラベルプリンタを提供する。
【００１２】
請求項６の発明は、被貼付対象となる商品に対応した商品関連情報を、文字情報とバーコード情報を組み合わせた表示情報として、ラベル用紙に印刷することによりラベルを作成するラベルプリンタであって、前記バーコード情報の生成に使用したバーコード体系が、前記商品の出荷先に対して予め設定されているバーコード体系と一致しているか否かをチェックするために、前記バーコード情報の生成に使用されたバーコード体系を識別する識別情報を、前記表示情報とともに、前記ラベル用紙に印刷することを特徴とするラベルプリンタを提供する。
【００１３】
請求項７の発明は、商品関連情報、および該商品関連情報から文字情報とバーコード情報を組み合わせた表示情報を生成するために使用されるバーコード体系を入力する入力部と、前記入力部により入力された前記商品関連情報および前記バーコード体系に基づいて、文字情報とバーコード情報を組み合わせた表示情報を生成する制御部と、前記表示情報と、前記バーコード体系を識別するための識別情報とを合わせて、ラベル用紙に印刷する印刷部とを、備えることを特徴とするラベルプリンタを提供する。
【発明の効果】
【００１４】
本発明の請求項１記載のラベル又は請求項４記載のラベルプリンタによれば、商品関連情報からラベルに印刷される表示情報を生成したときの生成履歴が、表示情報とともにラベルに印刷されているので、例えば、バーコード情報の生成に使用したバーコード体系や、ラベルデザインの生成に使用したフォーマット等を容易に識別することができ、従来はミスの発見が困難であった表示情報の生成に関する設定ミスを、簡単に発見することができるという優れた効果を奏し得るものである。
【００１５】
本発明の請求項２又は３記載のラベル又は請求項５乃至７記載のラベルプリンタによれば、商品関連情報からバーコード情報を生成するときに使用したバーコード体系を、表示情報とともに印刷される識別情報により容易に識別することができるので、従来はミスの発見が困難であったバーコード体系の設定ミスを、簡単に発見することができるという優れた効果を奏し得るものである。
【発明を実施するための最良の形態】
【００１６】
以下、本発明の実施の形態を、添付図面を参照しつつ説明する。
【００１７】
〔ラベル〕
図１は、本実施形態に係るラベルの一例であって、被貼付対象となる生鮮食品や弁当等の商品に対応した商品関連情報が、ラベルプリンタにより、表示情報として生成され、ラベル用紙に印刷されることにより作成されるものである。ラベルＬに印刷される表示情報は、文字情報１とバーコード情報２の組み合わせにより構成される。
【００１８】
〔文字情報１〕
文字情報１は、特売表示１１、商品名１２、販売期限１３、製造日１４、販売価格１５、販売業者表示１６からなる商品関連情報を、所定のフォーマット（表示項目名、表示項目の配列・位置・フォント等）で文字や記号により表示するものであって、製造業者、販売業者及び消費者が表示項目を目視確認できるようにしたものである。
【００１９】
〔バーコード情報２〕
バーコード情報２は、ＪＡＮコードと同様に、１３桁の数字を、細・太２種の４本のバーと３本のスペースの組み合わせからなるバーコードで表示したものである。ただし、１３桁の数字の各桁が表示する内容は、ＪＡＮコードのように、国コード、製造業者の登録番号、製造業者における商品番号、チェックコードを組み合わせたものとは異なっており、出荷先となる複数の販売業者が各々独自に設定し直したものとされている。一例を挙げると、インストア識別子（１桁）、販売業者における商品番号（６桁）、販売期限となる年月日の日データ（２桁）、製造者識別子（３桁）、チェックコード（１桁）のように設定されている。販売業者は、製造業者に指示して、販売業者自ら設定したバーコード体系でバーコード情報２を生成し印刷したラベルが貼付された商品を納入させることにより、自社店舗におけるＰＯＳシステムを利用したきめ細かい品質管理を実現することができる。
【００２０】
〔履歴情報３〕
このラベルＬには、文字情報１とバーコード情報２からなる表示情報ととともに、ラベルプリンタにおける表示情報の生成履歴を表示する履歴情報３が印刷されている。ここでは、履歴情報３は、バーコード情報２が、複数の販売業者が各々独自に設定した複数個のバーコード体系のいずれを使用して生成されたものであるかを識別するための識別情報であり、具体的には、使用したバーコード体系を設定した販売業者の名称における先頭２文字が印刷されている。したがって、履歴情報３を参照することにより、バーコード情報２の生成に使用されたバーコード体系が、その商品の出荷先に対して予め設定されているバーコード体系と一致しているか否かを容易にチェックすることができる。
【００２１】
〔ラベルプリンタ４〕
被貼付対象となる商品に対応した商品関連情報を、表示情報として生成し、ラベル用紙に印刷することによりラベルを作成する手段として、電子秤が一体的に設けられたラベルプリンタ４が使用される。ラベルプリンタ４は、図２及び図３に示されるように、制御部４１、操作部４２、計量部４３、表示部４４、及び印刷部４５を備えてなる。
【００２２】
〔制御部４１〕
制御部４１は、図３に示されるように、ＣＰＵ４１１、ＲＯＭ４１２、ＲＡＭ４１３及びカレンダー時計４１４を有してなり、ラベルプリンタ４全体の動作を制御する。ＣＰＵ４１１では、操作部４２による入力情報に基づく表示情報の生成その他の演算処理が行われるようになっており、ＲＯＭ４１２には、ＣＰＵ４１１で行われる演算処理のプログラムが書き換え不可能に予め記憶されている。
【００２３】
ＲＡＭ４１３には、商品マスター、販売業者リスト、ラベルのフォーマット、バーコード体系、及び各バーコード体系に対応した識別情報等の各種データが予め記憶されているほか、操作部４２に設けられたプリセットキーに初期設定される入力情報やＣＰＵ４１１における演算処理により生成された表示情報が書き換え可能に記憶される。商品マスターには、商品名、商品名ごとに設定される重量単価、販売有効期間等が登録されており、販売業者リストには、販売業者名、住所、及び店舗名等が登録されている。カレンダー時計４１４は、販売期限１３や製造日１４等の日付あるいは日時に関する表示情報を生成するために使用される。
【００２４】
〔操作部４２〕
操作部４２は、商品や出荷先に対応する入力情報を操作部４２に設けられたプリセットキーに初期設定する操作や、初期設定された商品名やバーコード体系をプリセットキーで入力してラベル発行する操作等、作業者が各種操作を行うための入力部となっている。初期設定操作では、ＲＡＭ４１３に予め記憶された商品マスター、販売業者リスト、ラベルのフォーマットやバーコード体系のデータ等から、商品関連情報（商品マスター、販売業者リストの情報）、ラベルのフォーマット、バーコード体系等を選択的に呼び出して、プリセットキーに設定する。これにより、表示情報の生成に必要な情報をワンタッチで入力して、ラベル印刷を迅速に実行することができる。また、プリセットキーは複数個設けられており、複数種類の商品を並行して生産する場合に対応できるように設定されている。
【００２５】
ラベル発行操作では、表示部４４の表示を見て、値付けする商品に応じたラベルの表示情報の設定確認をしながら、ラベル印刷を実行指示する。なお、商品マスター、販売業者リスト、ラベルのフォーマットやバーコード体系等の各種データの設定入力等も、操作部４２のキーを操作することにより行うことができるようになっている。
【００２６】
〔計量部４３〕
計量部４３は、商品を載せることにより商品重量を測定することができるように構成されている。ただし、商品には、計量商品（商品重量に応じて価格が異なる商品）と、定額商品（商品重量に関係なく価格が一定である商品）があり、すべての商品について重量測定されるわけではない。そこで、制御部４１では、計量部４３の荷重状態に基づいて、計量商品であるか定額商品であるかを自動的に判断して、プライスルックアップ（以下、ＰＬＵという。）の呼び出しを行うようになっている。すなわち、計量部４３に商品が載せられず、計量値がゼロ以下である場合には、定額商品のＰＬＵを呼び出し、計量部４３に商品が載せられて、計量値が最低印字重量以上の重量値である場合には、計量商品のＰＬＵを呼び出すようになっている。したがって、ラベル発行操作において、計量商品と定額商品を切り替える手間が省けて、操作ミスも防止できるものである。
【００２７】
〔表示部４４〕
表示部４４は、表示部分がいくつかのエリアに区画されたマトリックスディスプレイにより構成されており、各区画部分は、商品重量、重量単価、販売価格等の表示項目ごとに設けられる専用表示部分４４１と、商品名、製造日、販売期限等の表示項目を選択的に表示することができる可変表示部分４４２とに分けられる。可変表示部分では、上述した初期設定操作において、商品名等の各設定項目を順次表示させることにより、設定内容を確認することができるようになっている。
【００２８】
〔印刷部４５〕
印刷部４５は、図４に示されるように、ラベルロール支持部４５１に回転可能に支持されるラベルロールＲからラベル用紙を順次繰り出すプラテンローラー４５２と、繰り出されたラベル用紙に、制御部４１で生成された表示情報を印刷するサーマルヘッド４５３とで構成される。サーマルヘッド４５３は、表示情報とともに、表示情報の生成履歴を表示する履歴情報３、すなわちバーコード体系を識別するための識別情報も印刷する。印刷済みラベルＬは、台紙Ｘから一部剥離した状態でラベル発行口４５４から突出させられ、作業者が摘んで引き出すことにより、台紙Ｘから完全に剥離されるようになっている。なお、ラベルＬが剥がされた台紙Ｘは、回転駆動される台紙巻取部４５５により巻き取られるようになっている。
【００２９】
〔ラベル発行操作〕
次に、上記した実施の形態によるラベル発行操作について説明する。
【００３０】
まず、作業者は、ラベル発行操作に先立って、ラベルの被貼付対象となる商品に応じた初期設定操作を作業指示書に基づいて行う。初期設定操作では、作業者がラベルの被貼付対象となる商品に対応した商品関連情報、ラベルのフォーマット、バーコード体系等の初期設定項目を、ＲＡＭ４１３に予め記憶された商品マスター等から呼び出すとともに選択入力し、表示部４４の可変表示部分４４２で確認しながら、プリセットキーに設定する。商品が複数種類ある場合には、複数のプリセットキーに設定することができる。
【００３１】
初期設定操作を完了することにより、ラベル発行操作ができる状態となる。作業者は、手元に搬入された商品を見て、その商品及び出荷先に対応するプリセットキーを操作し、印刷部４５に表示情報のラベル用紙への印刷を行わせる。ラベル用紙には、表示情報とともに、販売業者の名称における先頭２文字で構成されるバーコード体系の識別情報が履歴情報３として印刷されるため、作業者が目視により、バーコード情報の生成に使用したバーコード体系を容易に識別することができる。したがって、履歴情報３と、文字情報１に含まれる販売業者表示１６を照合することにより、作業者において、作業者によるラベルプリンタの設定ミスや、作業者への指示書の記載ミス等により生じたバーコード体系の設定ミスを簡単に発見することができる。
【００３２】
〔本実施形態の変形例〕  
上記実施形態では、履歴情報３となるバーコード体系の識別情報として、販売業者名の先頭２文字を表示させるようにしたが、出荷先となる販売業者の多少に応じて１文字あるいは３文字以上を表示させるようにしても良いし、販売業者名の綴りに関係のない文字で表示しても良い。また、履歴情報３は、文字以外の記号、図形、あるいはラベルへの着色等により表示させるようにしても良く、さらに、必ずしも表示情報と別個に表示させる必要はなく、例えば文字情報１自体を着色する等の表示形態を採用することも可能である。その他、当然ながら、履歴情報３は、異なる出荷先（販売業者）間で一致する表示となることがあっても良く、必ず相違しなければならないものではない。
【００３３】
上記実施形態では、履歴情報３として、バーコード体系を識別する識別情報を表示させるようにしたが、ラベルのフォーマットを識別する識別情報を表示させるようにしても良い。また、バーコード体系とフォーマットの組み合わせを識別する識別情報を表示させても良く、上記以外の履歴情報を表示させるようにしても良い。例えば、出荷先ごとに異なる販売価格の算出方法等を履歴情報として表示させるようにすることもできる。
【００３４】
上記実施形態では、履歴情報３を、販売業者表示１６と照合させるものとして説明したが、これ以外の文字情報１と照合させるものとすることもできる。また、履歴情報３は、ラベルプリンタ４により印刷される表示情報と照合させるためにのみ使用されるものではなく、ラベル用紙にプリ印刷されるものと照合させるものとすることもできる。
【００３５】
上記実施形態では、履歴情報３と表示情報の照合を、作業者が目視で行うこととしたが、印刷部のラベル発行口４５４付近にスキャナー等のセンサーで構成される検査部を配設しておき、この検査部で表示情報及び履歴情報３等を取得し、制御部４１に出力させて、制御部４１で照合を行わせるようにしても良い。これにより、作業者の負担を軽減することができ、異常を発見した場合にラベルプリンタを即時停止させるようにすることで、誤った内容のラベルを大量に発行貼付するミスを防止することができるものである。
【００３６】
その他、本発明のラベル及びラベルプリンタは、上記した実施の形態に限定されるものではなく、本発明の要旨を逸脱しない範囲内において種々変更を加え得ることは勿論である。
【図面の簡単な説明】
【００３７】
【図１】本発明の実施形態に係るラベルを示す図。
【図２】本発明の実施形態に係るラベルプリンタを示す斜視図。
【図３】ラベルプリンタの内部回路を示すブロック図。
【図４】ラベルプリンタの印刷部を示す断面図。
【符号の説明】
【００３８】
１    文字情報（表示情報）
２    バーコード情報（表示情報）
３    履歴情報
４    ラベルプリンタ
４１    制御部
４２    操作部
４３    計量部
４４    表示部
４５    印刷部
Ｌ    ラベル
【図１】
2005077727.tif 000003
【図２】
2005077727.tif 000004
【図３】
2005077727.tif 000005
【図４】
2005077727.tif 000006